(57)【要約】  データ記録方法、その再生方法、そのデータ記録及び／または再生装置及び追記型情報記録媒体が開示される。本発明による追記型情報記録媒体は、ユーザデータを記録するための少なくとも１つのデータ領域と、データ領域にシーケンシャルレコーディングモードでユーザデータを記録するとき、データ領域を複数のボーダに分けて使用するための記録管理情報を記録するための少なくとも１つの記録管理情報領域とを備える。本発明によれば、シーケンシャルレコーディングモードで追記型情報記録媒体にデータを記録するとき、データ領域を複数のボーダ及び複数のレコーディングゾーンに分けて使用でき、追記型情報記録媒体の使用上便宜及び効率を向上させることができる。
2007519156.tif 000002
【特許請求の範囲】
【請求項１】
追記型情報記録媒体において、
ユーザデータを記録するための少なくとも１つのデータ領域と、
前記データ領域にシーケンシャルレコーディングモードでユーザデータを記録するとき、前記データ領域を複数のボーダに分けて使用するための記録管理情報を記録するための少なくとも１つの記録管理情報領域とを備えることを特徴とする追記型情報記録媒体。
【請求項２】
前記記録管理情報は、前記複数のボーダのうち、最後のボーダの開始アドレスと最終記録アドレスとを含む最後のボーダエントリを含むことを特徴とする請求項１に記載の追記型情報記録媒体。
【請求項３】
前記最後のボーダエントリは、前記最後のボーダが再生専用の閉ボーダであるか、または新しいデータの記録が可能な開ボーダであるかを表す状態情報を含むことを特徴とする請求項２に記載の追記型情報記録媒体。
【請求項４】
前記記録管理情報は、前記複数のボーダのうち、再生専用の閉ボーダの開始アドレスと最終記録アドレスとを含む閉ボーダエントリのリストを含むことを特徴とする請求項２に記載の追記型情報記録媒体。
【請求項５】
前記記録管理情報は、前記最後のボーダに含まれた少なくとも１つのレコーディングゾーンの開始アドレスと最終記録アドレスとを含む、最後のボーダのレコーディングゾーンエントリのリストを含むことを特徴とする請求項２に記載の追記型情報記録媒体。
【請求項６】
前記追記型情報記録媒体が最終化された場合、前記状態情報は、前記最後のボーダが閉ボーダであることを表すことを特徴とする請求項３に記載の追記型情報記録媒体。
【請求項７】
再生専用の複数の閉ボーダと、新しいデータの記録が最後のボーダの状態情報によって可能な最後のボーダとに分けられたデータ領域を備える追記型情報記録媒体にデータを記録する方法において、
前記最後のボーダにシーケンシャルレコーディングモードでユーザデータを記録する段階と、
前記最後のボーダの開始アドレスと最終記録アドレスとを含む最後のボーダエントリを含む記録管理情報を生成及び記録する段階とを含むことを特徴とする方法。
【請求項８】
前記ユーザデータ記録段階は、
前記最後のボーダを少なくとも１つのレコーディングゾーンに分割する段階と、
前記レコーディングゾーン単位で前記ユーザデータをシーケンシャルレコーディングモードで記録する段階とを含むことを特徴とする請求項７に記載の方法。
【請求項９】
前記最後のボーダエントリは、前記最後のボーダが閉ボーダであるか、または開ボーダであるかを表す状態情報を含むことを特徴とする請求項７に記載の方法。
【請求項１０】
前記記録管理情報は、閉ボーダの開始アドレスと最終記録アドレスとを含む閉ボーダエントリのリストを含むことを特徴とする請求項７に記載の方法。
【請求項１１】
前記記録管理情報は、前記最後のボーダに含まれた少なくとも１つのレコーディングゾーンの開始アドレスと最終記録アドレスとを含む、最後のボーダの少なくとも１つのレコーディングゾーンエントリのリストを含むことを請求項７に記載の特徴とする方法。
【請求項１２】
前記追記型情報記録媒体が最終化された場合、前記状態情報は、前記最後のボーダが閉ボーダであることを表すことを特徴とする請求項９に記載の方法。
【請求項１３】
前記最後のボーダの開始位置から前記ユーザデータが記録された最後の位置までの区間を最後の閉ボーダに決定する段階と、
前記最後の閉ボーダに含まれた少なくとも１つのレコーディングゾーンを１つのレコーディングゾーンに合併する段階とを含み、
前記記録管理情報生成及び記録の段階は、前記最後の閉ボーダの開始アドレスと最終記録アドレスとを含む閉ボーダエントリリストを含む記録管理情報を生成及び記録することを特徴とする請求項７に記載の方法。
【請求項１４】
再生専用の複数の閉ボーダと、新しいデータの記録が可能なオープン状態にある最後のボーダとに分けられたデータ領域を備える追記型情報記録媒体にデータを記録するデータ記録装置において、
前記追記型情報記録媒体にデータを記録したり記録されたデータを読み出す記録／読み出し部と、
前記最後のボーダにシーケンシャルレコーディングモードでユーザデータを記録するように前記記録／読み出し部を制御し、前記最後のボーダの開始アドレスと最終記録アドレスとを含む最後のボーダエントリを含む記録管理情報を生成し、前記記録管理情報を前記追記型情報記録媒体に記録するように前記記録／読み出し部を制御する制御部とを備えることを特徴とする装置。
【請求項１５】
前記制御部は、前記最後のボーダを少なくとも１つのレコーディングゾーンに分割し、前記レコーディングゾーン単位で前記ユーザデータをシーケンシャルレコーディングモードで記録するように前記記録／読み出し部を制御することを特徴とする請求項１４に記載の装置。
【請求項１６】
前記最後のボーダエントリは、前記最後のボーダが閉ボーダであるか、または開ボーダであるかを表す状態情報を含むことを特徴とする請求項１４に記載の装置。
【請求項１７】
前記記録管理情報は、閉ボーダの開始アドレスと最終記録アドレスとを含む閉ボーダエントリのリストを含むことを特徴とする請求項１４に記載の装置。
【請求項１８】
前記記録管理情報は、前記最後のボーダに含まれた少なくとも１つのレコーディングゾーンの開始アドレスと最終記録アドレスとを含む、最後のボーダの少なくとも１つのレコーディングゾーンエントリのリストを含むことを特徴とする請求項１４に記載の装置。
【請求項１９】
前記追記型情報記録媒体が最終化された場合、前記状態情報は、前記最後のボーダが閉ボーダであることを表すことを特徴とする請求項１６に記載の装置。
【請求項２０】
前記制御部は、前記最後のボーダの開始位置から前記ユーザデータが記録された最後の位置までの区間を最後の閉ボーダに決定し、前記最後の閉ボーダに含まれた少なくとも１つのレコーディングゾーンを１つのレコーディングゾーンに合併し、前記最後の閉ボーダの開始アドレスと最終記録アドレスとを含む閉ボーダエントリリストを含む記録管理情報を生成することを特徴とする請求項１４に記載の装置。
【請求項２１】
複数のボーダに分けられたデータ領域を備える追記型情報記録媒体に記録されたデータを再生する方法において、
前記追記型情報記録媒体から最終的に記録された記録管理情報を読み出す段階と、
前記記録管理情報から前記複数のボーダのうち最後のボーダの開始アドレスと最終記録アドレスとを得る段階と、
前記最後のボーダの開始アドレスと最終記録アドレスとを利用し、最終的にアップデートされたファイルシステムの記録位置を決定する段階と、
前記ファイルシステムを読み出した後で再生する段階とを含むことを特徴とする方法。
【請求項２２】
前記最後のボーダエントリは、前記最後のボーダが再生専用の閉ボーダであるか、または新しいデータの記録が可能な開ボーダであるかを表す状態情報を含むことを特徴とする請求項２１に記載の方法。
【請求項２３】
前記記録管理情報は、再生専用の閉ボーダの開始アドレスと最終記録アドレスとを含む閉ボーダエントリリストを含むことを特徴とする請求項２１に記載の方法。
【請求項２４】
前記記録管理情報は、前記最後のボーダに含まれた少なくとも１つのレコーディングゾーンの開始アドレスと最終記録アドレスとを含む、最後のボーダの少なくとも１つのレコーディングゾーンエントリのリストを含むことを特徴とする請求項２１に記載の方法。
【請求項２５】
前記最終的にアップデートされたファイルシステムの記録位置を決定する段階は、
前記最後のボーダに何のデータも記録されていない場合、前記閉ボーダエントリリストから最終的にデータが記録された閉ボーダの開始アドレスと最終記録アドレスとを得て、前記最終的にデータが記録された閉ボーダの開始アドレスと最終記録アドレスとを利用し、最終的にアップデートされたファイルシステムの記録位置を決定することを特徴とする請求項２３に記載の方法。
【請求項２６】
複数のボーダに分けられたデータ領域を備える追記型情報記録媒体に記録されたデータを再生するデータ再生装置において、
前記追記型情報記録媒体に記録されたデータを読み出す読み出し部と、
前記追記型情報記録媒体から最終的に記録された記録管理情報を読み出すように前記読み出し部を制御し、前記記録管理情報に含まれた、前記複数のボーダのうち最後のボーダの開始アドレスと最終記録アドレスとを利用し、最終的にアップデートされたファイルシステムの記録位置を決定し、前記追記型情報記録媒体から前記ファイルシステムを読み出すように前記読み出し部を制御する制御部とを備えることを特徴とする装置。
【請求項２７】
前記記録管理情報は、前記最後のボーダが再生専用の閉ボーダであるか、または新しいデータの記録が可能な開ボーダであるかを表す状態情報を含む最後のボーダエントリを含むことを特徴とする請求項２６に記載の装置。
【請求項２８】
前記記録管理情報は、再生専用の閉ボーダの開始アドレスと最終記録アドレスとを含む閉ボーダエントリリストを含むことを特徴とする請求項２６に記載の装置。
【請求項２９】
前記記録管理情報は、前記最後のボーダに含まれた少なくとも１つのレコーディングゾーンの開始アドレスと最終記録アドレスとを含む、最後のボーダの少なくとも１つのレコーディングゾーンエントリのリストを含むことを特徴とする請求項２６に記載の装置。
【請求項３０】
前記制御部は、
前記最後のボーダに何のデータも記録されていない場合、前記閉ボーダエントリリストから最終的にデータが記録された閉ボーダの開始アドレスと最終記録アドレスとを得て、前記最終的にデータが記録された閉ボーダの開始アドレスと最終記録アドレスとを利用し、最終的にアップデートされたファイルシステムの記録位置を決定することを特徴とする請求項２８に記載の装置。
【請求項３１】
再生専用の複数の閉ボーダと、新しいデータの記録が可能なオープン状態にある最後のボーダとに分けられたデータ領域を備える追記型情報記録媒体にデータを記録する方法において、
前記最後の開ボーダにシーケンシャルレコーディングモードでユーザデータを記録する段階と、
前記最後の開ボーダの開始アドレスと最終記録アドレスとを含む最後のボーダエントリを含む記録管理情報を生成及び記録する段階とを含むことを特徴とする方法を実現させるためのプログラムを記録したコンピュータで読み取り可能な記録媒体。
【請求項３２】
複数のボーダに分けられたデータ領域を備える追記型情報記録媒体に記録されたデータを再生する方法において、
前記追記型情報記録媒体から最終的に記録された記録管理情報を読み出す段階と、
前記記録管理情報から前記複数のボーダのうち最後のボーダの開始アドレスと最終記録アドレスとを得る段階と、
前記最後のボーダの開始アドレスと最終記録アドレスとを利用し、最終的にアップデートされたファイルシステムの記録位置を決定する段階と、
前記ファイルシステムを読み出した後で再生する段階とを含むことを特徴とする方法を実現させるためのプログラムを記録したコンピュータで読み取り可能な記録媒体。
【請求項３３】
追記型情報記録媒体のデータ領域を順次記録モードで使用する方法において、
前記順次記録モードによって複数のボーダのデータ領域にデータを記録する段階と、
前記複数のボーダのそれぞれに対応する記録管理情報を生成する段階とを含み、
前記複数のボーダのうち最後のボーダは、前記最後のボーダに追加的なデータが記録可能なようにオープン状態であり、前記最後のボーダのための記録管理情報は、前記最後のボーダの開始アドレス、前記最後のボーダの最後のデータ記録アドレス、及び前記最後のボーダがオープン状態であるか、または閉じられた状態であるかを表す状態情報を含む最後のボーダエントリを含むことを特徴とするデータ領域の使用方法。
【請求項３４】
前記追加的なデータは、少なくとも１つのレコーディングゾーンの前記最後のボーダに記録されることを特徴とする請求項３３に記載のデータ領域の使用方法。
【請求項３５】
前記最後のボーダが閉じているとき、前記複数のボーダのそれぞれに対応する記録管理情報をアップデートする段階をさらに含むことを特徴とする請求項３４に記載のデータ領域の使用方法。
【請求項３６】
前記記録管理情報は、少なくとも開始アドレスと最後の記録アドレスを含む複数のボーダのそれぞれのためのボーダエントリを含むことを特徴とする請求項３４に記載のデータ領域の使用方法。
【請求項３７】
合併された単一のレコーディングゾーンが前記最後のボーダの閉じられたバージョンを形成するように、少なくとも１つのレコーディングゾーンを単一レコーディングゾーンに合併する段階をさらに含むことを特徴とする請求項３４に記載のデータ領域の使用方法。
【請求項３８】
前記最後のボーダが閉じているとき、前記複数のボーダのそれぞれに対応する記録管理情報をアップデートする段階をさらに含むことを特徴とする請求項３７に記載のデータ領域の使用方法。
【請求項３９】
所定の時間間隔で前記複数のボーダのそれぞれに対応する前記記録管理情報をアップデートする段階をさらに含むことを特徴とする請求項３７に記載のデータ領域の使用方法。
【請求項４０】
データの臨界量が記録された後、前記複数のボーダのそれぞれに対応する前記記録管理情報をアップデートする段階をさらに含むことを特徴とする請求項３７に記載のデータ領域の使用方法。
【請求項４１】
前記記録管理情報は、各ボーダの開始アドレスと最後の記録されたアドレスを含むことを特徴とする請求項３７に記載のデータ領域の使用方法。
【請求項４２】
前記最後のボーダが閉じているとき、前記複数のボーダのそれぞれに対応する前記記録管理情報をアップデートする段階と、
次の追加的なデータが前記アップデートされた記録管理情報によって前記閉じられた最後のボーダの端部から始まる新しい最後のボーダに記録可能なように、次の開かれたボーダのために新しい最後のボーダと新しい最後のボーダエントリとを生成する段階とをさらに含むことを特徴とする請求項３７に記載のデータ領域の使用方法。
【請求項４３】
前記新しい最後のボーダが閉じているとき、前記追記型情報記録媒体は、完成することを特徴とする請求項４２に記載のデータ領域の使用方法。
【発明の詳細な説明】
【技術分野】
【０００１】
本発明は、データ領域を複数のボーダに分けて使用可能な追記型情報記録媒体に係り、特に、シーケンシャルレコーディングモードでデータを記録するとき、データ領域を複数のボーダに分けて使用できるようにするためのデータ記録方法、その再生方法、そのデータ記録及び／または再生装置、及びその追記型情報記録媒体に関するものである。
【背景技術】
【０００２】
上書き可能な情報記録媒体は、データがすでに記録された位置に新しいデータを上書き可能である。しかし、追記型情報記録媒体は、データ記録領域に一回だけ記録可能な特性を有するので、上書きが不可能であり、すでに記録されたデータを削除または変更できない。
【０００３】
従来技術によれば、データ再生互換性などの媒体使用の便宜を図るために、情報記録媒体に設けられたデータ領域を複数のボーダに分け、ボーダ単位でユーザデータを記録したりもする。また、従来技術によれば、シーケンシャルレコーディングモードでデータを記録するとき、媒体のデータ領域をさらに効率的に使用するために、データ領域を複数のレコーディングゾーンに分け、レコーディングゾーン単位でユーザデータを記録したりもする。
【０００４】
例えば、従来技術による追記型情報記録媒体の一種であるＤＶＤ−Ｒ媒体にシーケンシャルレコーディングモードでデータを記録する場合について述べれば、ＤＶＤ−Ｒ媒体のデータ領域は、複数のボーダに分けられ、複数のボーダは、順次に使われる。データでいっぱいになったボーダは、閉じられた状態になり、データを記録できるボーダは、オープン状態となる。さらに、各ボーダは、少なくとも１つのＲ−ｚｏｎｅに分割され、Ｒ−ｚｏｎｅ単位でデータが記録される。このとき、ＤＶＤ−Ｒ媒体には、複数のボーダの位置情報、各ボーダ内に含まれた少なくとも１つのＲ−ＺＯＮＥの位置情報が含まれたＲ−ＺＯＮＥエントリを含むＲＭＤ（レコーディングマネージメントデータ）が記録される。ＲＭＤの大きさは、固定されており、新しいＲ−ＺＯＮＥが割り当てられるなどの事由が発生すれば、アップデートされたＲＭＤが媒体に記録される。
【０００５】
一方、ＲＭＤのデータサイズ及びＲ−ＺＯＮＥエントリのデータサイズは、固定されているので、１つのＲＭＤに含めることができるＲ−ＺＯＮＥエントリの個数も、固定される。しかし、従来技術によれば、現在使用中であるボーダを閉じ、新しいボーダにデータを記録するとき、これを反映したアップデートされたＲＭＤには、閉じられたボーダに含まれた各Ｒ−ＺＯＮＥに対応するＲ−ＺＯＮＥエントリが相変らず含まれている。
【０００６】
例えば、１つのＲＭＤに含めることができるＲ−ＺＯＮＥエントリの個数が７，０００個である場合、最初のボーダが５，０００個のＲ−ｚｏｎｅに分けられて使われたとすれ、二番目のボーダは、２，０００個のＲ−ｚｏｎｅしか使用できない。従って、ＲＭＤのデータサイズが固定された場合、１つのＲＭＤに含めることができるＲ−ＺＯＮＥエントリの個数も、固定されるという制約が存在する。
【発明の開示】
【発明が解決しようとする課題】
【０００７】
本発明が解決しようとする技術的課題は、シーケンシャルレコーディングモードでデータを記録するとき、データ領域を複数のボーダに分けて使用できるようにするための記録管理情報の記録された追記型情報記録媒体を提供するところにある。
【０００８】
本発明が解決しようとする他の技術的課題は、シーケンシャルレコーディングモードで追記型情報記録媒体にデータを記録するとき、データ領域を複数のボーダに分けて使用できるようにするためのデータ記録方法及びそのデータ記録装置を提供するところにある。
【０００９】
本発明が解決しようとするさらに他の技術的課題は、シーケンシャルレコーディングモードでデータが記録され、複数のボーダに分けられてデータが記録された追記型情報記録媒体の再生方法及びそのデータ再生装置を提供するところにある。
【課題を解決するための手段】
【００１０】
前記課題をなすために、本発明による追記型情報記録媒体は、ユーザデータを記録するための少なくとも１つのデータ領域と、前記データ領域にシーケンシャルレコーディングモードでユーザデータを記録するとき、前記データ領域を複数のボーダに分けて使用するための記録管理情報を記録するための少なくとも１つの記録管理情報領域とを備える。
【００１１】
前記他の課題をなすために、本発明による追記型情報記録媒体にデータを記録する方法は、再生専用の複数の閉ボーダと、新しいデータの記録が可能なオープン状態にある最後のボーダとに分けられたデータ領域を備える追記型情報記録媒体にデータを記録する方法において、前記最後のボーダにシーケンシャルレコーディングモードでユーザデータを記録する段階と、前記最後のボーダの開始アドレスと最終記録アドレス（ＬＲＡ）とを含む最後のボーダエントリを含む記録管理情報を生成及び記録する段階とを含む。
【００１２】
前記他の課題をなすために、本発明によるデータ記録装置は、再生専用の複数の閉ボーダと、新しいデータの記録が可能なオープン状態にある最後のボーダとに分けられたデータ領域を備える追記型情報記録媒体にデータを記録するデータ記録装置において、前記追記型情報記録媒体にデータを記録したり記録されたデータを読み出す記録／読み出し部と、前記最後のボーダにシーケンシャルレコーディングモードでユーザデータを記録するように前記記録／読み出し部を制御し、前記最後のボーダの開始アドレスと最終記録アドレス（ＬＲＡ）とを含む最後のボーダエントリを含む記録管理情報を生成し、前記記録管理情報を前記追記型情報記録媒体に記録するように前記記録／読み出し部を制御する制御部とを備える。
【００１３】
前記さらに他の課題をなすために、本発明によるデータ再生方法は、複数のボーダに分けられたデータ領域を備える追記型情報記録媒体に記録されたデータを再生する方法において、前記追記型情報記録媒体から最終的に記録された記録管理情報を読み出す段階と、前記記録管理情報から前記複数のボーダのうち最後のボーダの開始アドレスと最終記録アドレス（ＬＲＡ）とを得る段階と、前記最後のボーダの開始アドレスと最終記録アドレス（ＬＲＡ）とを利用し、最終的にアップデートされたファイルシステムの記録位置を決定する段階と、前記ファイルシステムを読み出した後で再生する段階とを含む。
【００１４】
前記さらに他の課題をなすために、本発明によるデータ再生装置は、複数のボーダに分けられたデータ領域を備える追記型情報記録媒体に記録されたデータを再生するデータ再生装置において、前記追記型情報記録媒体に記録されたデータを読み出す読み出し部と、前記追記型情報記録媒体から最終的に記録された記録管理情報を読み出すように前記読み出し部を制御し、前記記録管理情報に含まれた、前記複数のボーダのうち最後のボーダの開始アドレスと最終記録アドレス（ＬＲＡ）とを利用し、最終的にアップデートされたファイルシステムの記録位置を決定し、前記追記型情報記録媒体から前記ファイルシステムを読み出すように前記読み出し部を制御する制御部とを備える。
【発明の効果】
【００１５】
本発明による記録管理情報（ＲＭＤ）を追記型情報記録媒体に記録して利用することにより、シーケンシャルレコーディングモードで追記型情報記録媒体にデータを記録するとき、データ領域を複数のボーダ及び複数のレコーディングゾーンに分けて使用でき、追記型情報記録媒体の使用上、便宜及び効率を向上させることができる。
【発明を実施するための最良の形態】
【００１６】
以下、添付された図面を参照して本発明の実施形態を詳細に説明する。
【００１７】
図１は、本発明の一実施形態による単一記録層の追記型情報記録媒体１００の構造の一例を表す図であり、図２は、本発明の一実施形態による二重記録層の追記型情報記録媒体２００の構造の一例を表す図である。
【００１８】
図１を参照するに、単一記録層の追記型情報記録媒体１００は、リードイン領域、データ領域、リードアウト領域が内周から外周方向に設けられている。リードイン領域は、ＦＤＭＡ（Ｆｉｎａｌｉｚｅｄ  Ｄｉｓｃ  Ｍａｎａｇｅｍｅｎｔ  Ａｒｅａ）１、ＦＤＭＡ  ２及びＲＭＤ領域（Ｒｅｃｏｒｄｉｎｇ  Ｍａｎａｇｅｍｅｎｔ  Ｄａｔａ  ａｒｅａ）０を備える。データ領域は、スペア領域（Ｓｐａｒｅ  Ａｒｅａ）０、スペア領域１及びユーザ領域（Ｕｓｅｒ  Ａｒｅａ）を備える。リードアウト領域は、リードイン領域と同様に、ＦＤＭＡ  ３、ＦＤＭＡ  ４及びＲＭＤ領域１を含む。
【００１９】
ＲＭＤ領域は、本発明による記録管理情報（リコーディングマネージメントデータ、以下、“ＲＭＤ”という）を記録するための領域である。ＲＭＤについては後述する。
【００２０】
スペア領域は、ユーザ領域に記録されたユーザデータに欠陥が発生した場合、欠陥が発生したユーザデータを代替して上書きするために割り当てられた領域である。本実施形態でスペア領域は、追記型情報記録媒体１００の初期化時に、データ記録及び／または再生装置により、またはユーザの選択によりデータ領域に割り当てられる。
【００２１】
また、本実施形態でスペア領域には、欠陥管理のために上書きされたユーザデータの外に、臨時欠陥管理情報（ＴＤＤＳ：テンポラリーディスクディフェクトストラクチャー）及び臨時欠陥情報（ＴＤＦＬ：テンポラリーディフェクトリスト）を情報記録媒体の欠陥セクタの量により記録する。
【００２２】
ＴＤＤＳは、臨時欠陥管理情報識別子、アップデートカウント、最終臨時欠陥情報が記録されている位置情報、最終ディスクアンドドライブ（Ｄｉｓｃ  ａｎｄ  Ｄｒｉｖｅ）情報が保存されている位置情報、データ領域に割り当てられたスペア領域の大きさ情報などを含むことができる。
【００２３】
ＴＤＦＬは、臨時欠陥情報識別子、アップデートカウンタ、欠陥因子個数、欠陥因子などを含むことができ、欠陥因子は、状態情報、欠陥クラスタの位置情報、代替クラスタの位置情報から構成され、状態情報は、欠陥の種類及び代替情報などを表すことができる。
【００２４】
追記型情報記録媒体が最終化されるまでは、スペア領域に所定アップデート時点ごとにＴＤＦＬ及びＴＤＤＳをアップデートして記録し、媒体が最終化されれば、最終的にアップデートされたＴＤＦＬ及びＴＤＤＳをＦＤＭＡにそれぞれＤＦＬ（ディフェクトリスト）及びＤＤＳ（ディスクディフェクトストラクチャー）として記録する。ＦＤＭＡにＤＦＬ及びＤＤＳを記録することにより、上書き可能媒体のための再生装置でも追記型情報記録媒体を再生できる。いったんＦＤＭＡ
１がいっぱいになってから、ＦＤＭＡ  ２が使われるように、各ＦＤＭＡ領域にデータが順次に保存される。
【００２５】
図２を参照するに、二重記録層の追記型情報記録媒体２００は、リードイン領域、データ領域０及び中間領域０を含む第一の記録層Ｌ０と、中間領域１、データ領域１及びリードアウト領域を備える二番目の記録層Ｌ１からなる。記録層Ｌ０及びＬ１の構造は、図１に図示した単一記録層の追記型情報記録媒体１００の構造とほぼ同一である。ユーザデータは、記録層Ｌ０のユーザ領域０の内周から外周方向に記録され、ユーザ領域０にそれ以上データを記録できなければ、記録層Ｌ１の外周から内周方向にユーザデータが記録される。
【００２６】
図１及び図２に図示されていないが、媒体の使用のための初期化時点に、データ記録及び／または再生装置、またはユーザの決定により、記録管理情報のアップデート回数を増加させるためにデータ領域にも、ＲＭＤ領域を割り当てることもできる。
図１及び図２に図示された追記型情報記録媒体には、ＲＭＤだけを記録するためのＲＭＤ領域が別途にリードイン領域に割り当てられているが、ＲＭＤ領域にＴＤＤＳのような情報をＲＭＤと共に１つのクラスタに、または別途のクラスタに記録することもできる。
【００２７】
図３Ａ及び図３Ｂは、ＲＭＤ領域にＲＭＤをアップデートする方法を説明するための図である。図３Ａを参照するに、ＲＭＤ＃０ないしＲＭＤ＃ｎが、例えば、単一記録層の追記型情報記録媒体または二重記録層の追記型情報記録媒体の第１記録層であるＬ０のＲＭＤ領域３１０に内周から外周方向に記録されている。図３Ｂを参照するに、ＲＭＤ＃０ないしＲＭＤ＃ｎが、例えば、二重記録層の追記型情報記録媒体の第２記録層Ｌ１であるＲＭＤ領域３３０の外周から内周方向に記録されている。
【００２８】
本実施形態では、追記型情報記録媒体１００，２００上の複数のＲＭＤ領域が存在する場合、ＲＭＤ領域を連続的に使用する。すなわち、１つのＲＭＤ領域が使われた後、その次のＲＭＤ領域に新たにアップデートされたＲＭＤを記録する。
【００２９】
図２に図示された二重記録層媒体２００の場合、ＲＭＤ領域は、ＲＭＤ  ａｒｅａ  ０、ＲＭＤ  ａｒｅａ  １、ＲＭＤ  ａｒｅａ  ２及びＲＭＤ  ａｒｅａ  ３の順序で使われる。このように、複数個のＲＭＤ  ａｒｅａの使用順序及びそれぞれのＲＭＤ  ａｒｅａの使用方向を決めておくことにより、データ記録及び／または再生装置が二重記録層媒体２００に最終的にアップデートされたＲＭＤをさらに迅速であって容易にアクセスできる。
【００３０】
図４は、本発明の一実施形態によるシーケンシャルレコーディングモードのためのＲＭＤフォーマットを表す図である。図４を参照するに、本実施形態によるＲＭＤ  ４００は、ＲＭＤ  Ｈｅａｄｅｒ  ４１０及びＲ−ｚｏｎｅエントリのリスト（Ｌｉｓｔ  ｏｆ  Ｒ−ｚｏｎｅ  ｅｎｔｒｉｅｓ）４３０を含む。
【００３１】
ＲＭＤ  Ｈｅａｄｅｒ  ４１０は、ＲＭＤ識別情報（ＲＭＤ  ｉｄｅｎｔｉｆｉｅｒ  ４１１、最後のボーダエントリ（Ｌａｓｔ  Ｂｏｒｄｅｒ  Ｅｎｔｒｙ）４１３及びボーダの個数（ｔｏｔａｌ  ｎｕｍｂｅｒ  ｏｆ  ｂｏｒｄｅｒｓ）４１５の情報を含む。ＲＭＤ識別情報４１１は、ＲＭＤ領域に記録されたそれぞれのＲＭＤを区別するための情報であり、最後のボーダエントリ４１３は、本発明による追記型情報記録媒体のデータ領域に設けられた複数のボーダのうち、最後に使われるボーダの位置及び状態を表す情報である。ボーダの個数４１５は、追記型情報記録媒体に設けられた複数のボーダの総個数を意味する。
【００３２】
本実施形態による追記型情報記録媒体１００，２００は、ユーザ領域の使用方向によってボーダ単位で連続的に使われる。最後のボーダは、媒体に設けられた複数のボーダのうち、使用方向を基準に最後のに使われるボーダをいう。従って、常に最後のボーダだけ開ボーダであり、最後のボーダ以前のボーダは、いずれも閉じられた状態となる。
【００３３】
図５は、図４に図示した最後のボーダエントリ４１３の一例を表す図である。図５に図示された最後のボーダエントリ４１３は、最後のボーダの状態を表す状態情報、最後のボーダの開始アドレス、及びデータが記録された最後のアドレスであるＬＲＡ（Ｌａｓｔ  Ｒｅｃｏｒｄｅｄ  Ａｄｄｒｅｓｓ）を含む。開始アドレスは、ボーダの物理的な開始セクタアドレスをいう。ＬＲＡは、ボーダ内でデータが記録された最後の位置の物理的なセクタアドレスをいう。
【００３４】
最後のボーダエントリ４１３の状態情報は、最後のボーダがシーケンシャルレコーディングモードで新しいデータの記録が可能なオープン状態であるか、または新しいデータの記録が不可能な再生専用のボーダであるかを表す情報である。後述するが、かかる状態情報は、最後のボーダに対してのみ示し、閉ボーダのエントリには、状態情報を含めない。
【００３５】
一方、図４のボーダの個数４１５は、ＲＭＤ  ４００での最後のボーダの開始Ｒ−ｚｏｎｅ  ｅｎｔｒｙ  ｎｕｍｂｅｒを表す。これは、後述するが、最後のボーダが閉じているとき、その最後のボーダに含まれた少なくとも１つのＲ−ｚｏｎｅを合併し、１つのボーダが１つのＲ−ｚｏｎｅにすることによって可能になる。
【００３６】
図６は、図４に図示されたＲ−ｚｏｎｅエントリのリスト（Ｌｉｓｔ  ｏｆ  Ｒ−ｚｏｎｅ  ｅｎｔｒｉｅｓ）４３０の一例を表す図である。図６を参照するに、Ｌｉｓｔ  ｏｆ  Ｒ−ｚｏｎｅ  ｅｎｔｒｉｅｓ  ４３０は、閉じられたボーダエントリのリストと開ボーダのＲ−ｚｏｎｅエントリのリストを含む。閉じられたボーダエントリのリストは、オープン状態である最後のボーダの生成以前に使われたボーダのエントリであるＢＯＲＤＥＲ  ＥＮＴＲＹ＃１ないしＢＯＲＤＥＲ  ＥＮＴＲＹ＃ｋ（ｋは１以上の変数）を表す。
【００３７】
開ボーダのＲ−ｚｏｎｅエントリのリストは、オープン状態である最後のボーダに含まれたＲ−ＺＯＮＥのエントリであるＲ−ＺＯＮＥ  ＥＮＴＲＹ＃（ｋ＋１）ないしＲ−ＺＯＮＥ  ＥＮＴＲＹ＃（ｋ＋ｎ）（ｋ及びｎは１以上の変数）を表す。それぞれのＢＯＲＤＥＲ  ＥＮＴＲＹ及びＲ−ＺＯＮＥ  ＥＮＴＲＹは、それぞれのＢＯＲＤＥＲ及びＲ−ＺＯＮＥの開始アドレスとＬＲＡとを含み、最後のボーダの場合とは異なり、状態情報は含まない。最後のボーダについてだけ状態情報を含める理由は、すでに閉じられたボーダについては、それ以上記録がなされず、再生専用だけに使用されるので、いかなる記録モードで記録されたかということは関係ないためである。さらに、最後のボーダが閉じられいるということは、媒体が最終化され、再生専用だけに使用されるということを意味する。
【００３８】
Ｒ−ｚｏｎｅエントリのリスト４３０を参考にすれば、本実施形態による追記型情報記録媒体１００，２００のデータ領域には、ｋ個の閉じられたボーダを含み、最後のボーダは、ｎ個のＲ−ＺＯＮＥに分割されているということが分かる。前述のように、最後のボーダが閉じられるたびに、その最後のボーダに含まれた少なくとも１つのＲ−ｚｏｎｅを１つのＲ−ｚｏｎｅに合併するために、それぞれの閉じられたボーダは、１つのＲ−ｚｏｎｅからなる。
【００３９】
そして、データ記録及び／または再生装置は、図４に図示されたボーダの総数４１５から、全体ボーダの個数がｋ＋１であることが分かり、（ｋ＋１）番目のＲ−ＺＯＮＥ  ＥＮＴＲＹが最後のボーダの開始Ｒ−ＺＯＮＥ  ＥＮＴＲＹであることが分かる。そして、データ記録及び／または再生装置は、全体ボーダの数と最後のボーダの開始Ｒ−ｚｏｎｅエントリ番号とを利用し、ＲＭＤフォーマット内で最後のボーダの開始Ｒ−ｚｏｎｅエントリ情報が保存されている位置が分かる。
【００４０】
すなわち、最後の（オープン）ボーダ内の最初のＲ−ｚｏｎｅエントリ情報が始まるＲＭＤフォーマット内の位置は、次の式（１）により計算できる。
【００４１】
Ｌａｓｔ（Ｏｐｅｎ）ボーダ内の最初のＲ−ｚｏｎｅエントリ情報の開始位置＝（１つのボーダエントリが占める長さ＊（「ボーダの総数」−１））＋（「閉じられたボーダエントリのリスト」が始まる位置）      （１）
以上で説明した通り、それぞれのボーダに対して開始アドレスとＬＲＡとを有するボーダエントリをおくことにより、それぞれのボーダについての開始アドレスとＬＲＡとが分かり、データ記録及び／または再生装置は、本発明による追記型情報記録媒体から最新のファイルシステムに関連した情報をさらに速かに得ることができる。
【００４２】
例えば、ＵＤＦ（Ｕｎｉｖｅｒｓａｌ  Ｄｉｓｋ  Ｆｏｒｍａｔ）ファイルシステムの場合、閉じられたボーダに対し、そのアンカーポイントは、その閉じられたボーダ内のロジカルセクタ数２５６、最後のロジカルセクタ数−２５６、及び最後のロジカルセクタ数のうち少なくとも二つでなければならない。従って、ＵＤＦファイルシステムの場合、それぞれのボーダについての開始アドレスとＬＲＡとが分かり、データ記録及び／または再生装置は、ファイルシステムの記録された位置を容易に得ることができる。
【００４３】
さらに、最後のボーダを閉じるとき、そのボーダ内のあらゆるＲ−ｚｏｎｅを１つのＲ−ｚｏｎｅに合併して１つのＲ−ｚｏｎｅエントリ（ボーダエントリ）で表すことにより、開ボーダを前記情報記録媒体の使用効率性を最大化するために、必要なだけ最大限多くのＲ−ｚｏｎｅに分割できる。例えば、ＲＭＤフォーマットの大きさが限定されており、１つのＲＭＤに含めることができるＲ−ｚｏｎｅエントリの個数が７，０００個であるとするとき、最初のボーダで５，０００個のＲ−ｚｏｎｅを使用して５，０００個のＲ−ｚｏｎｅエントリをＲＭＤに含めるならば、二番目のボーダは、２，０００個のＲ−ｚｏｎｅしか使用できないであろう。しかし、本発明でのように、ボーダを閉じるとき、そのボーダに含まれたＲ−ｚｏｎｅを１つのＲ−ｚｏｎｅに合併して１つのＲ−ｚｏｎｅ（＝ボーダ）エントリで表すならば、二番目のボーダは、６，９９９個のＲ−ｚｏｎｅを使用することができ、媒体使用の効率を向上させることができる。
【００４４】
図７Ａ及び図７Ｂは、本発明の一実施形態により、以前の最後の開ボーダ（Ｌａｓｔ  Ｏｐｅｎ  Ｂｏｒｄｅｒ）が閉じられ、新しい最後の開ボーダが生成されたデータ領域を表す図である。
【００４５】
図７Ａは、ｋ個の閉ボーダとオープン状態にある最後のボーダである（ｋ＋１）番目のボーダとを表す図である。最後のボーダである（ｋ＋１）番目のボーダは、（ｋ＋１）番目のＲ−ＺＯＮＥ  ５７１ないし（ｋ＋ｎ）番目のＲ−ｚｏｎｅ  ５７５とを含む。最後のＲ−ｚｏｎｅである（ｋ＋ｎ）番目のＲ−ｚｏｎｅは、最初から二番目の位置までデータがシーケンシャル方式で記録されている。
【００４６】
図７Ｂは、図７Ａに図示した最後のボーダである（ｋ＋１）番目のボーダ５７０が閉じられ、新しい最後の開ボーダである（ｋ＋２）番目のボーダ５９０が生成されたデータ領域を表す図である。（ｋ＋１）番目のＲ−ＺＯＮＥ  ５７１から（ｋ＋ｎ）番目のＲ−ｚｏｎｅ  ５７５のデータが記録された最後の位置までが、１つのＲ−ｚｏｎｅに合併されて（ｋ＋１）番目のボーダとなる。すなわち、（ｋ＋１）番目のＲ−ＺＯＮＥ  ５７１の開始位置から（ｋ＋ｎ）番目のＲ−ｚｏｎｅ  ５７５のデータが記録された最後の位置までが、閉じられた状態の（ｋ＋１）番目のボーダとなる。
【００４７】
図８は、図７Ａに図示したデータ領域に対応するＲＭＤ  ６１０を表す図であり、図９は、図７Ｂに図示したデータ領域に対応するＲＭＤ  ６２０を表す図である。
【００４８】
図９に図示されたＲＭＤ  ６２０について述べれば、追記型情報記録媒体にいずれも（ｋ＋２）個のボーダがあり、最後のボーダエントリには、最後のボーダである（ｋ＋２）番目のボーダの状態情報、開始アドレス及びＬＲＡが含まれている。データ記録及び／または再生装置は、図７Ｂに図示したように、以前の最後のボーダである（ｋ＋１）番目のボーダが閉じられ、新しい最後の開ボーダである（ｋ＋２）番目のボーダがデータ領域に生成されれば、図８に図示した以前のＲＭＤ  ６１０をアップデートし、図９に図示したＲＭＤ  ６２０を生成した後でＲＭＤ領域に記録する。ＲＭＤ  ６２０は、以前のＲＭＤ  ６１０に比べ、最後のボーダが（ｋ＋２）番目のボーダになることにより、最後のボーダエントリが変更され、「ボーダの総数」が１ほど増加し、「閉じられたボーダエントリのリスト」には、（ｋ＋１）番目のボーダのエントリが追加されうる。
【００４９】
もし、追記型情報記録媒体の最終化のために、最後のボーダを閉じる場合、新しい最後のボーダをデータ領域に生成させる必要はない。前述のように、媒体を最終化すれば、ＴＤＤＳ及びＴＤＦＬのような最終的な媒体管理情報をＦＤＭＡに記録することにより、今後のデータ記録及び／または再生装置は、ＦＤＭＡをアクセスすることにより、媒体の最終化いかんを判別することができる。または、最終的に記録されたＲＭＤを得て、これから得られた最後のボーダエントリの状態情報から媒体の最終化いかんを判別できる。
【００５０】
図１０は、本発明の一実施形態によるデータ記録及び／または再生装置のブロック図である。図１０を参照するに、本実施形態による装置は、記録／読み出し部１、制御部２及びメモリ３を備える。追記型情報記録媒体１０は、図１または図２に図示した本発明の実施形態による追記型情報記録媒体である。
【００５１】
記録／読み出し部１は、制御部２の制御により、追記型情報記録媒体１０にデータを記録及び／または再生する。データを記録するとき、記録されたデータを検証するために、記録後にさらに記録されたデータを読み出す。
【００５２】
制御部２は、本実施形態によるデータ記録及び／または再生装置の全体動作を制御する。
【００５３】
追記型情報記録媒体１０がデータ記録及び／または再生装置にローディングされた初期時点で、データ記録及び／または再生装置は、追記型情報記録媒体１０から最終的にアップデートされたＲＭＤ、ＴＤＤＳ及びＴＤＦＬのような情報を読み出し、メモリ３に保存する。その後、シーケンシャルレコーディングモードで追記型情報記録媒体１０の最後の開ボーダにユーザデータが記録され、ＲＭＤをアップデートする必要が発生すれば、制御部２は、メモリ３に保存された、追記型情報記録媒体１０から読み出したＲＭＤを参照してアップデートされたＲＭＤを生成する。
【００５４】
以下、図１０に図示したデータ記録及び／または再生装置により行われる、本発明の一実施形態による追記型情報記録媒体にデータを記録する方法について説明する。
【００５５】
図１１は、本発明の一実施形態によるデータ記録方法のフローチャートである。
【００５６】
別途に図示していないが、追記型情報記録媒体１０がデータ記録及び／または再生装置にローディングされれば、追記型情報記録媒体１０の使用のための初期化が行われる。すなわち、制御部２は、リードイン領域から追記型情報記録媒体１０の使用のための基本的な制御情報と、最終的にアップデートされたＴＤＦＬ、ＴＤＤＳ及びＲＭＤとを読み出してメモリ３に保存する。制御部２は、ＲＭＤから最後のボーダの状態、開始アドレス及びＬＲＡを得る。制御部２は、最後のボーダの開始アドレス及びＬＲＡから最終的にアップデートされたファイルシステムが記録された位置を知った後、読み出してメモリ３に保存する。
【００５７】
追記型情報記録媒体１０の使用のための初期化が行われた後、ホスト（図示せず）から追記型情報記録媒体１０にユーザデータ記録命令と共にユーザデータが入力されれば（Ｓ８１０）、制御部２は、所定単位でユーザデータを追記型情報記録媒体１０の最後の開ボーダに設けられた特定Ｒ−ｚｏｎｅにシーケンシャルレコーディングモードで記録する（Ｓ８３０）。
【００５８】
データ記録及び／または再生装置は、ＲＭＤのアップデートのための所定時点で、メモリ３に保存された追記型情報記録媒体１０から読み出した以前のＲＭＤを参照してアップデートされたＲＭＤを生成した後、ＲＭＤ領域に記録する（Ｓ８５０）。ＲＭＤの構造は、図４に図示した通りである。
【００５９】
図１２は、図１１に図示された第８３０段階の一実施形態を表す図である。最後の開ボーダにユーザデータをＲ−ｚｏｎｅ単位で記録した後（Ｓ８３１）、ユーザまたはホストの命令によって最後の開ボーダを閉じる場合、制御部２は、最後の開ボーダの開始位置からユーザデータが記録された最後の位置までの区間を最後の閉ボーダに決定する（Ｓ８３３）。
【００６０】
制御部２は、前記最後の閉ボーダに含まれた少なくとも１つのＲ−ｚｏｎｅを１つのＲ−ｚｏｎｅに合併する（Ｓ８３５）。前述した図７Ａ、図７Ｂ、図８及び図９を介して第８３３段階及び第８３５段階についての理解が可能である。
【００６１】
最後の開ボーダを閉じる場合、前述した図９に図示したように、制御部２は、アップデートされたＲＭＤを生成した後、追記型情報記録媒体のＲＭＤ領域に記録する。
【００６２】
一方、ＲＭＤのアップデート時期は、多様な方式に決定されうる。例えば、所定周期ごとにＲＭＤをアップデートしたり、または一回のレコーディングオペレーションが完了すればアップデートしたり、または追記型情報記録媒体１０に記録されたユーザデータ量が所定量になればアップデートするなどの方式でＲＭＤをアップデートできる。
【００６３】
以下では、本発明によってＲＭＤが記録された追記型情報記録媒体１０のデータ再生方法を説明する。
【００６４】
本実施形態によるデータ再生装置は、図１０に図示されたデータ記録及び／再生装置を利用する。ただし、再生専用装置であるから、記録／読み出し部１は、読み出し部に対応し、制御部２は、データ読み出しに関連した機能だけを行うのである。
【００６５】
図１３は、本発明の一実施形態によるデータ再生方法のフローチャートである。追記型情報記録媒体１０がデータ再生装置にローディングされれば（Ｓ９１０）、追記型情報記録媒体１０に最終的にアップデートされたＲＭＤを読み出してメモリ３に保存する（Ｓ９３０）。
【００６６】
追記型情報記録媒体１０に最終的にアップデートされたＲＭＤを読み出す過程は、追記型情報記録媒体１０の使用のための初期化時に行われる。すなわち、制御部２は、リードイン領域から追記型情報記録媒体１０の使用のための基本的な制御情報と、最終的にアップデートされたＴＤＦＬ、ＴＤＤＳ及びＲＭＤとを読み出してメモリ３に保存する。
【００６７】
制御部２は、図４に図示したような構造を有するＲＭＤから最後のボーダの状態、開始アドレス及びＬＲＡを得る（Ｓ９５０）。制御部２は、最後のボーダの開始アドレス及びＬＲＡから最終的にアップデートされたファイルシステムが記録された位置を決定する（Ｓ９７０）。例えば、ＵＤＦファイルシステムの場合、アンカーポイントは、ボーダ内のロジカルセクタ数２５６、最後のロジカルセクタ数−２５６、及び最後のロジカルセクタ数のうち、少なくとも二つである。従って、最後のボーダの開始アドレスとＬＲＡとからファイルシステムが記録された位置が分かる。
【００６８】
もし、最後のボーダがオープン状態であって何のデータも記録されていない場合には、最後のボーダに最終的にアップデートされたファイルシステムが記録されないこともある。かかる場合には、ＲＭＤの閉ボーダエントリのリスト４３０から最後に使われた後で閉じられたボーダの開始アドレス及びＬＲＡが分かる。最後の閉じられたボーダの開始アドレス及びＬＲＡから最終的にアップデートされたファイルシステムが記録された位置が分かる。
【００６９】
制御部２は、追記型情報記録媒体１０に記録された最終的にアップデートされたファイルシステムを読み出した後で再生する（Ｓ９９０）。ファイルシステムを再生するということは、制御部２が読み出されたファイルシステムを解釈し、追記型情報記録媒体１０に記録されたユーザデータの種類、記録位置及びディレクトリ構造などを認識するということを意味する。
【００７０】
本発明は、また、コンピュータで読み取り可能な記録媒体にコンピュータで読み取り可能なコードとして具現されうる。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードとして保存されて実行されうる。
【００７１】
これまで、本発明についてその望ましい実施形態を中心に説明した。本発明が属する技術分野で当業者は、本発明が本発明の本質的な特性から外れない範囲で変形された形態に具現されうるということが理解できるであろう。本発明の範囲は、前述の説明ではなく、特許請求の範囲に示され、それと同等な範囲内にあるあらゆる差異点は、本発明に含まれるものと解釈されねばならない。
【図面の簡単な説明】
【００７２】
【図１】本発明の一実施形態による単一記録層の追記型情報記録媒体の構造の一例を表す図である。
【図２】本発明の一実施形態による二重記録層の追記型情報記録媒体の構造の一例を表す図である。
【図３Ａ】ＲＭＤ領域にＲＭＤをアップデートする方法を説明するための図である。
【図３Ｂ】ＲＭＤ領域にＲＭＤをアップデートする方法を説明するための図である。
【図４】本発明の一実施形態によるシーケンシャルレコーディングモードのためのＲＭＤフォーマットを表す図である。
【図５】図４に図示した最後のボーダエントリの一例を表す図である。
【図６】図４に図示されたＲ−ｚｏｎｅエントリのリストの一例を表す図である。
【図７Ａ】以前の最後の開ボーダが閉じられ、新しい最後の開ボーダが生成されたデータ領域を表す図である。
【図７Ｂ】以前の最後の開ボーダが閉じられ、新しい最後の開ボーダが生成されたデータ領域を表す図である。
【図８】図７Ａに図示したデータ領域に対応するＲＭＤを表す図である。
【図９】図７Ｂに図示したデータ領域に対応するＲＭＤを表す図である。
【図１０】本発明の一実施形態によるデータ記録及び／または再生装置のブロック図である。
【図１１】本発明の一実施形態によるデータ記録方法のフローチャートである。
【図１２】図１１に図示された第８３０段階の一実施形態を表す図である。
【図１３】本発明の一実施形態によるデータ再生方法のフローチャートである。
【図１】
2007519156.tif 000003
【図２】
2007519156.tif 000004
【図３Ａ】
2007519156.tif 000005
【図３Ｂ】
2007519156.tif 000006
【図４】
2007519156.tif 000007
【図５】
2007519156.tif 000008
【図６】
2007519156.tif 000009
【図７Ａ】
2007519156.tif 000010
【図７Ｂ】
2007519156.tif 000011
【図８】
2007519156.tif 000012
【図９】
2007519156.tif 000013
【図１０】
2007519156.tif 000014
【図１１】
2007519156.tif 000015
【図１２】
2007519156.tif 000016
【図１３】
2007519156.tif 000017
【国際調査報告】
2007519156.tif 000018